(57)【要約】保護されるべきコンテンツの完全コピーを防止し、コンテンツ著作権の保護を図ることができるディスクコンテンツ管理方法及びディスクを提供する。一部が欠損された状態でコンテンツデータがディスクに格納されるとともに、ディスクに搭載された電子回路に設けられたデータメモリまたはネットを介して接続されるサーバ側のメモリに前記欠損部に対応する元のデータが格納される。ディスク再生時に、欠損部のデータとして、データメモリやサーバ側のメモリに格納されている欠損部対応の元のデータを補完データとして読み出し、ディスクから読み出したコンテンツデータの欠損部を補完する。【特許請求の範囲】
【請求項１】
一部が欠損された状態でコンテンツデータがディスクに格納されるとともに、前記ディスクに搭載された電子回路に設けられたデータメモリに前記欠損部に対応する元のデータが格納され、
前記ディスク再生時に、前記欠損部のデータとして、前記データメモリに格納されている欠損部対応の元のデータを補完データとして読み出し、
前記ディスクから読み出したコンテンツデータの欠損部を補完することを特徴とするディスクコンテンツ管理方法。
【請求項２】
一部が欠損された状態でコンテンツデータがディスクに格納されるとともに、ネットを介して接続されるサーバ側のメモリに前記欠損部に対応する元のデータが格納され、
前記ディスク再生時に、前記欠損部のデータとして、ネットを介して前記サーバ側のメモリに格納されている欠損部対応の元のデータを補完データとして入手し、
前記ディスクから読み出したコンテンツデータの欠損部を補完することを特徴とするディスクコンテンツ管理方法。
【請求項３】
前記電子回路に設けられた管理メモリには、前記ディスクを扱う特定のユーザや店を特定するコードを記憶しておき、前記ディスク再生時には、前記管理メモリに記憶されているコードと、再生側で予め設定されているコードとを比較し、両コードが一致したときのみ再生を可能とすることを特徴とする請求項１又は２に記載のディスクコンテンツ管理方法。
【請求項４】
ディスクに記録されているＩＤ情報と前記電子回路側に記憶されているＩＤ情報とを比較し、両者が一致しているときのみ前記ディスクの再生を可能とすることを特徴とする請求項１乃至３のいずれかに記載のディスクコンテンツ管理方法。
【請求項５】
前記再生時には、前記ディスク再生側は、ネットを介してサーバに接続され、前記サーバ側では、前記ディスク再生側から受信した前記コードを管理することを特徴とする請求項１乃至４のいずれかに記載のディスクコンテンツ管理方法。
【請求項６】
前記コードが重複するときには、前記ディスクの電子回路の管理メモリに記憶されている前記コードを削除することを特徴とする請求項５に記載のディスクコンテンツ管理方法。
【請求項７】
前記欠損部には、ダミーデータとしてノイズデータが書き込まれていることを特徴とする請求項１乃至６のいずれかに記載のディスクコンテンツ管理方法。
【請求項８】
前記電子回路はＲＦＩＤで構成されることを特徴とする請求項１乃至７のいずれかに記載のディスクコンテンツ管理方法。
【請求項９】
前記ディスク再生側には、認証装置が設けられ、特定ユーザのみが利用できるようにしたことを特徴とする請求項１乃至８のいずれかに記載のディスクコンテンツ管理方法。
【請求項１０】
前記認証装置は、生体認証装置であることを特徴とする請求項１乃至９のいずれかに記載のディスクコンテンツ管理方法。
【請求項１１】
前記ディスクは、光ディスクであることを特徴とする請求項１乃至１０のいずれかに記載のディスクコンテンツ管理方法。
【請求項１２】
コンテンツデータが格納されている記憶領域と、メモリを有する電子回路が搭載されたディスクであって、
前記記憶領域には、一部が欠損された状態でコンテンツデータが格納されるとともに、前記電子回路のメモリには前記欠損部に対応する元のデータが補完データとして格納されて成ることを特徴とするディスク。
【請求項１３】
前記電子回路のメモリには、前記ディスクを扱う特定のユーザや店を特定するコードが記憶されていることを特徴とする請求項１２に記載のディスク。
【請求項１４】
前記欠損部には、ダミーデータとしてノイズデータが書き込まれていることを特徴とする請求項１２又は１３に記載のディスク。
【請求項１５】
前記電子回路はＲＦＩＤで構成されることを特徴とする請求項１２乃至１４のいずれかに記載のディスク。
【請求項１６】
前記ディスクは、光ディスクであることを特徴とする請求項１２乃至１５のいずれかに記載のディスク。
【発明の詳細な説明】
【技術分野】  本発明はディスクコンテンツ管理方法及びディスクに関し、例えば、コンテンツの完全な不法コピーを防止し、ディスクに格納されているコンテンツの適切な保護を図るようにしたディスクコンテンツ管理方法及びディスクに関する。
【背景技術】  ＣＤやＤＶＤ等の大容量記憶媒体の出現に伴って音楽、映画、ゲームソフト等のコンテンツデータをこれら記憶媒体に格納するのが一般的になっている。ＣＤやＤＶＤでは、音楽や映像は特殊なフォーマットで記録されているため、コンピュータなどを用いて単純なデータコピーを行っただけでは、コピーしたデータから音楽や映像の再生を行うことはできない。
一方、これら記憶媒体に格納されているコンテンツが上記のような特殊なフォーマット処理が施されていない場合、格別な認証手段が設けられていない限り無制限にコピー可能で、著作権管理という観点からは大きな問題となっている。
また、特殊なフォーマット処理が施されていてもコピー防止が万全であるわけではない。すなわち、現在、ＣＤ−Ｒ（ｒｅｃｏｒｄａｂｌｅ）、ＣＤ−ＲＷ（ｒｅｗｒｉｔａｂｌｅ）、ＤＶＤ−Ｒ、ＤＶＤ−ＲＷ、ＤＶＤ−ＲＡＭ（Ｒａｎｄｏｍ  Ａｃｃｅｓｓ  Ｍｅｍｏｒｙ）等、各種の記憶媒体にデータ書込みを行うドライブ装置が広く普及してきており、また、特殊ソフトウェアを用いることによりＣＤやＤＶＤ等のディスクデータを、同様の記憶媒体にそのまま不正コピーして、汎用再生装置で再生することも可能である。
かかるディスクの不正コピーを防止する技術としては、暗号化、コピープロテクト信号や認証情報の挿入、誤り訂正等、種々提案されている。例えば、特許文献１乃至４に開示されている。
［特許文献１］特開２００２−９２８９４公報
［特許文献２］特開２００４−４６８５９公報
［特許文献３］特開２００３−７７２１８公報
［特許文献４］特開２００４−１２７４４８公報
更には、ディスクに被認証情報を格納し、一方、ＩＣカードにはディスクの被認証情報に対応する認証情報を格納しておき、ディスク再生時に、ディスクの被認証情報とＩＣカードの認証情報とを読み出し、照合し、一致したときのみ再生を許可するような構成を採用したコピー防止システムも提案されている［特許文献５］。
［特許文献５］特開２００３−７７２１８公報
しかしながら、コピープロテクト信号や認証信号の挿入技術では、プロテクトのための特殊な信号処理が必要であったり、認証機関が必要となる。また、暗号化信号を復号化するには復号情報が必要となり、システムが複雑化する。誤り訂正についても確実かつ安全を保障するものではない。
また、ディスクに被認証情報を格納し、ＩＣカードにディスクの被認証情報に対応する認証情報を格納する方式では、ディスクとＩＣカードは必ず対での使用が前提であるため、多数のディスクとＩＣカードが混在する場合には、対で対応するディスクとＩＣカードを特定することが困難になり、収拾がつかなくなる。更に、複数のディスクを１枚のＩＣカードで管理する場合には、セキュリティプログラムのアルゴリズムを多様化するのが難しくなる上に、当該ＩＣカードを使用して複数のディスクのうち１枚のディスクを再生している間は別のディスクを同時または離れた場所で再生することができない。
そこで、本発明の主目的は、保護されるべきコンテンツの完全コピーを防止し、コンテンツ著作権の保護を図ることができるディスクコンテンツ管理方法及びディスクを提供することにある。
【発明の開示】
前述の課題を解決するため、本発明によるディスクコンテンツ管理方法及びディスクは、次のような特徴的な構成を採用している。
（１）一部が欠損された状態でコンテンツデータがディスクに格納されるとともに、前記ディスクに搭載された電子回路に設けられたデータメモリに前記欠損部に対応する元のデータが格納され、
前記ディスク再生時に、前記欠損部のデータとして、前記データメモリに格納されている欠損部対応の元のデータを補完データとして読み出し、
前記ディスクから読み出したコンテンツデータの欠損部を補完するディスクコンテンツ管理方法。
（２）一部が欠損された状態でコンテンツデータがディスクに格納されるとともに、ネットを介して接続されるサーバ側のメモリに前記欠損部に対応する元のデータが格納され、
前記ディスク再生時に、前記欠損部のデータとして、ネットを介して前記サーバ側のメモリに格納されている欠損部対応の元のデータを補完データとして入手し、
前記ディスクから読み出したコンテンツデータの欠損部を補完するディスクコンテンツ管理方法。
（３）前記電子回路に設けられた管理メモリには、前記ディスクを扱う特定のユーザや店を特定するコードを記憶しておき、前記ディスク再生時には、前記管理メモリに記憶されているコードと、再生側で予め設定されているコードとを比較し、両コードが一致したときのみ再生を可能とする上記（１）又は（２）のディスクコンテンツ管理方法。
（４）ディスクに記録されているＩＤ情報と前記電子回路側に記憶されているＩＤ情報とを比較し、両者が一致しているときのみ前記ディスクの再生を可能とする上記（１）乃至（３）のいずれかのディスクコンテンツ管理方法。
（５）前記再生時には、前記ディスク再生側は、ネットを介してサーバに接続され、前記サーバ側では、前記ディスク再生側から受信した前記コードを管理する上記（１）乃至（４）のいずれかのディスクコンテンツ管理方法。
（６）前記コードが重複するときには、前記ディスクの電子回路の管理メモリに記憶されている前記コードを削除する上記（５）のディスクコンテンツ管理方法。
（７）前記欠損部には、ダミーデータとしてノイズデータが書き込まれている上記（１）乃至（６）のいずれかのディスクコンテンツ管理方法。
（８）前記電子回路はＲＦＩＤで構成される上記（１）乃至（７）のいずれかのディスクコンテンツ管理方法。
（９）前記ディスク再生側には、認証装置が設けられ、特定ユーザのみが利用できるようにした上記（１）乃至（８）のいずれかのディスクコンテンツ管理方法。
（１０）前記認証装置は、生体認証装置である上記（１）乃至（９）のいずれかのディスクコンテンツ管理方法。
（１１）前記ディスクは、光ディスクである上記（１）乃至（１０）のいずれかのディスクコンテンツ管理方法。
（１２）コンテンツデータが格納されている記憶領域と、メモリを有する電子回路が搭載されたディスクであって、
前記記憶領域には、一部が欠損された状態でコンテンツデータが格納されるとともに、前記電子回路のメモリには前記欠損部に対応する元のデータが補完データとして格納されて成るディスク。
（１３）前記電子回路のメモリには、前記ディスクを扱う特定のユーザや店を特定するコードが記憶されている上記（１２）のディスク。
（１４）前記欠損部には、ダミーデータとしてノイズデータが書き込まれている上記（１２）又は（１３）のディスク。
（１５）前記電子回路はＲＦＩＤで構成される上記（１２）乃至（１４）のいずれかのディスク。
（１６）前記ディスクは、光ディスクである上記（１２）乃至（１５）のいずれかのディスク。
本発明によれば、保護されるべきコンテンツは、ディスクと、ディスク搭載電子回路のメモリまたはネットを介して接続されるサーバ側のメモリに分割格納しておき、例えば、コンテンツの一部のみ電子回路のメモリに格納しておき、再生時に、所定の条件を満たした場合のみ、両データを合成して本来のコンテンツを再生可能としているので、単純なディスクコピーでは不完全なコンテンツ情報しか得られず、不法コピーの抑止力になる。電子回路に格納されているコンテンツ部に対応するディスクの格納位置には当該コンテンツとは関係のないデータ（例えば、雑音信号）が書き込まれている。したがって、ディスクをそのまま丸ごとコピーしたディスクを再生したとしても雑音が混在するコンテンツしか再生できず、本来の目的とする再生は不可能である。また、所定の条件としては次のような条件が考えられる。すなわち、ディスクと電子回路それぞれには、当該ディスクを管理する管理者（店舗等）に管理コード（符号、記号、番号等）を書き込んでおき、再生時に、ディスクと電子回路に書き込まれている管理コードの管理が一致しているときのみ、ディスクに格納されている雑音データの代りに電子回路から読み出した本来のコンテンツデータを挿入して、本来の全コンテンツ再生が可能となる。
【図面の簡単な説明】  第１図は、本発明によるディスクコンテンツ管理方法の基本システム構成図である。
第２図は、本発明の実施例におけるコンテンツデータ（音声や映像データ）としての光データのフォーマットの一例を示す図である。
第３図は、本発明の実施例における店番コード、電子回路の管理メモリに書き込まれている管理コードの管理のためのデータ、コードメモリに書き込まれている光ディスクのＩＤ情報とナビゲーションコードの管理のためのデータ、データメモリに書き込まれている光ディスクのデータトラックに記録されているノイズデータ等を示す図である。
第４図は、本実施例における処理手順を示すフローチャートである。
【発明を実施するための最良の形態】  以下、本発明によるディスクコンテンツ管理方法及びディスクの好適実施例の構成および動作を、添付図面を参照して詳細に説明する。
なお、以下の説明では、ＣＰＵ機能やメモリ等を有する電子回路を搭載した光ディスクを利用しているが、光ディスクに限らず任意のディスク、記憶媒体にも本発明が適用可能であることは勿論である。
図１は、本発明によるディスクコンテンツ管理方法の基本システム構成図である。本システムにおいては、ディスクドライブ１を用いて光ディスクを回転させて光ディスクからコンテンツデータを読み出したり、データを書き込んだりする。光ディスクの一面に設けられたデータ記憶部にはコンテンツ等の光データが記憶されている。光ディスクのデータ記憶部が形成されている面とは反対面には所定の信号処理を実行する電子回路（ＣＰＵ）１１が搭載されている。電子回路１１は、受発信部１１１、信号処理部１１２、管理部１１３、コードメモリ１１４、データメモリ１１５、管理メモリ１１６を備える。また、電子回路１１での信号処理結果や外部からの情報は、例えば、無線信号としてディスクドライブの無線部（受発信部）１１１を介して外部回路との間で送出／受信される。なお、コードメモリ１１４、データメモリ１１５、管理メモリ１１６は、一つのメモリとすることができることは勿論である。
図１を参照すると、ディスクドライブ１には光ディスクを挿入する挿入口（図示せず）が設けられ、挿入された光ディスクは所定速度で回転される。光ディスクの回転状態で、光ピックアップから光ディスク表面に向けてレーザ光を照射し、その反射光を光ピックアップを介して検出することにより光学的に記録されているデータを読み出す。また、光ピックアップからレーザ光を照射してデータを書き込む。
ディスクドライブ１は、光ディスクを回転駆動するための駆動部１３とメモリ１４を備える。光ディスクは、その一面は音楽情報、映像情報、プログラム情報等のデータが書き込まれたＲＯＭ領域と、任意のデータの書き込みが可能なＲＡＭ領域を有する光データ記憶部１２を備え、他面はＣＰＵ機能を有する電子回路１１を備える。電子回路１１は、例えばＲＦＩＤ（Ｒａｄｉｏ  Ｆｒｅｑｕｅｎｃｙ  Ｉｄｅｎｔｉｆｉｃａｔｉｏｎ）部として形成することができる。勿論、電子回路１１は上記一面に設けることもできる。
ＲＦＩＤ部は、一般に、電磁波を使った非接触通信を可能とするもので、半導体メモリ（ＩＣチップ）内のデータを非接触の状態で通信（読み書き）可能とし、ＲＦＩＤ部は、通常、ＩＣチップとそれに接続したコイル状のアンテナから構成される。
受発信装置２は、リーダ／ライタ機能を有し、上記光ディスク面に配設された電子回路１１としてのＲＦＩＤ部のＩＣチップ内の受発信部１１１との間で無線通信によりデータ授受を行う。受発信装置２と、電子回路１１の受発信部１１１との間のデータ通信は、例えば１０６ｋｂｐｓの伝送速度で行われる。
電子回路１１（ＲＦＩＤ部）内のアンテナ（受発信部１１１）が受発信装置２からの電波を受信すると、共振作用により起電力が発生（電磁誘導等）するので、この起電力を電源整流部で整流して電子回路１１の電源として用いる。この電源によりＲＦＩＤ部内のＩＣチップが起動される。電源供給は、かかる構成に限定されるものではないことは勿論である。
演算装置３は、例えばパソコンであり、ＯＳ等の基本情報が格納されているＲＯＭ部（蓄積部）３１、書換可能な記憶部としてのＲＡＭ部３２、ＣＰＵ等の演算処理部３３、液晶等の表示部３４を備え、ディスクドライブ１との間でデータ授受を行い、所望の信号処理を行う。
生体認証装置４は、本システムの起動、動作を許可されたユーザのみに限定するためのもので、指紋認証、顔認証、声紋認証、瞳の虹彩認証等の生体系パラメータが考えられる。パソコン（演算装置）３の起動時、生体認証装置４の、例えば、指紋認証のための指紋読取部にユーザは所定の指を接触させて光学的に読み取り、予め記憶、登録されているユーザの指紋と照合し、両者が一致したときのみ使用を許可する。
さて、以上のような構成のシステムにおいて、本実施例では、音楽、映像等の保護されるべきコンテンツは光ディスクの光データ記憶部１２に記憶される。その際、当該コンテンツのすべてを光データ記憶部１２に書き込むのではなく、その一部は書き込まず、書き込まれなかったデータ（欠損部）の代わりに、欠損部に対応するデータと基本的に無関係なダミーデータ（例えば、雑音データ）を書き込んでおく（埋め込んでおく）。一方、当該欠損部データに対応する正しい（元の）コンテンツデータ（補完データ）は、電子回路１１のデータメモリ１１５に記憶されている。当該欠損部データに対応する元のコンテンツデータである補完データの記憶、書き込みは、データメモリ１１５としてのＲＯＭ型メモリに工場出荷時に書き込んでおくことができるし、ＲＡＭ型メモリに後で書き込むこともできる。このＲＡＭ型メモリへの補完データの書き込みは、ネット経由でダウンロードして行うこともできる。この場合には、当該補完データ自体を具体的な使用態様に応じて変化させることもできる。例えば、コンテンツ利用期間が限定された、つまり有効な期間限定で特別なキャラクタを付加することができる。
管理メモリ１１６には、ディスクの管理情報を記憶するもので、本実施例では、当該ディスクを管理する管理者としての店（例えば、光ディスクの販売店やレンタル店等）を特定するための唯一の店番コードが記憶されている。この店番コードをベースにして、パソコンはネット上のサーバと接続され、補完データをダウンロードしたり、後述するようなコンテンツ管理を行う。
店番コードには、例えば、販売店名、担当者名、各ユーザ毎のＩＤコード等が含まれる。したがって、ネットで接続されたサーバ側がパソコン側から創出される店番コードを参照すれば、当該ディスクの管理情報が得られ、トレーサビリティをもたせることができるようになる。
店番コードは、世界で只１個しか存在しないように設定できるため同一店番コードをもつユーザや店等の人が重複してアクセスしてきた場合には不正アクセスの可能性があることが分かる。例えば、販売時に店名、部署名、担当者名及びタイムコード等の複数（多数）のパラメータを店番コードと併せて書き込むようにすれば良い。同一店番コードをベースに重複したアクセスがあった場合には、不正アクセスを阻止するために当該光ディスクの電子回路１１の管理メモリ１１６に記憶されている店番コードを削除する。店番コードが削除されると当該光ディスクは再生できないので、正規品の購入者（ユーザ）は、当該光ディスクを購入店に持ち込んで店番コードを変更して再生を可能とする必要がある。この場合、その人には、補償として景品等を渡して店番コードを変更する。
同一店番コードで重複アクセスするようなケースでは、当該正規品の購入者が直接または間接的に当該不正コピーに関わっている可能性が高いし、少なくとも店番コードをトレースすることにより、不正コピーに関与した人物または組織を割り出せることができる。
さて、光ディスクの光データ記憶部１２にはコンテンツデータが記録され、当該コンテンツの欠損部にはノイズ等のダミーデータが書き込まれており、欠損部の補完データは電子回路１１のデータメモリ１１５に記憶されている。
図２には、コンテンツデータ（音声や映像データ）としての光データのフォーマットの一例が示されている。図２において、ＴＲＨはヘッドトラックで、光ディスク全体の情報を示す。ＴＲＮｉはナビゲーショントラックで、映像の章番号や映像出力順の指標データを示す。ＣＯＭｉはコマンドコードで、コンテンツトラックからデータを読み込むのに必要なデータを示す。ＤＩＤｉはＩＤ情報や被認証情報を示し、ＴＲＣｉはコンテンツトラック、映像データや音声データを示す。ここで、ｉは自然数である。本例では、コンテンツトラックＴＲＣｉに欠損部が設けられ、そこに雑音データ等のダミーデータが書き込まれている。
図３には、店番コード、電子回路の管理メモリ１１６に書き込まれている管理コードの管理のためのデータ、コードメモリに書き込まれている光ディスクのＩＤ情報とナビゲーションコードの管理のためのデータ、データメモリに書き込まれている光ディスクのデータトラックに記録されているノイズデータ等が示されている。
図３において、店番コードとして、店Ｓ１でコード：Ｓ１０００１、Ｓ１０００２、．．．、Ｓ１９９９９が付与され、、店Ｓ２でコード：Ｓ２０００１、Ｓ２０００２、．．．、Ｓ２９９９９が付与されている。
光ディスクに格納されているＩＤ情報：ＤＩＤ１、ＤＩＤ２、ＤＩＤ４、ＤＩＤ５それぞれに対応するナビゲーションコード：ＴＲＮ１、ＴＲＮ２、ＴＲＮ４、ＴＲＮ５、データトラック：ＴＲＣ１、ＴＲＣ２、ＴＲＣ４、ＴＲＣ５が対応するが、ＩＤ情報ＤＩＤ３にはナビゲーショントラックＴＲＮ３が対応し、データトラックにはノイズデータ（ＮＯＩＳＥ）が書き込まれている。同様に、ＩＤ情報ＤＩＤｉにはナビゲーショントラックＴＲＮｉが対応し、データトラックにはノイズデータ（ＮＯＩＳＥ）が書き込まれている。
一方、電子回路の管理メモリ１１６、コードメモリ１１４、データメモリ１１５には、店番コードＳ１０００１〜Ｓ１９９９９に対応する各データが図示するように格納されている。管理メモリ１１６に格納されている店番コードＳ１０００１に対応するＩＤ情報ＤＩＤ１’＋Ｓ１、欠損コードＴＲＮ３、データメモリ１１５に格納されている補完データＴＲＣ３、店番コードＳ１０００２に対応するＩＤ情報ＤＩＤ２’＋Ｓ１、．．．、店番コードＳ１０００５に対応するＩＤ情報ＤＩＤ５’＋Ｓ１、欠損コードＴＲＮｉ、データメモリに書き込まれている補完データＴＲＣｉ、．．．が図示されている。
図４には、本実施例の処理手順を示すフローチャートが示されている。
先ず、ユーザが光ディスクを販売店で購入すると（ステップＳ１）、販売店のパソコン３及び受発信装置２からＲＦＩＤを介して電子回路１１の管理メモリ１１６に店番コードを書き込む（ステップＳ２）。この状態で、当該光ディスクの利用が可能となる。
さて、ユーザが光ディスクをディスクドライブに挿入すると、電子回路１１の管理メモリ１１６から既存店番コードが読み込まれる（ステップＳ３）。次に、当該パソコンが設置されている店の店コード（予め入力、設定されている）と店番コードを比較し（ステップＳ４）、両者が一致しないときには不正として当該光ディスクの再生を不可能とする（ステップＳ５）。
ステップＳ４において、両者が一致していると判定されれば、電子回路１１のＤＩＤｉコード（ＩＤ情報、被認証情報）に店番コードを補完することにより所定のＤＩＤｉコードに変換し（ステップＳ６）、光ディスクの光データ記憶部１２からヘッドトラックＴＲＨから光ディスク全体情報が、またはナビゲーショントラックＴＲＮｉから映像の章番号や映像出力順の指標データ等が読み込まれる（ステップＳ７）。更に、光ディスクの光データ記憶部１２からコマンドコードＣＯＭｉを読み出し、データを読み込むのに必要なデータが読み込まれるとともにＤＩＤｉよりＩＤ情報や被認証情報（ステップＳ８）が読み込まれる。続いて、光ディスクのＩＤ情報と電子回路のＩＤ情報とを比較し（ステップＳ９）、両者が一致していなければ光ディスクの再生を不可とし（ステップＳ５）、両者が一致していれば、光ディスクのナビゲーショントラックＴＲＮｉに欠損コードがあるかどうかを判定する（ステップＳ１０）。
ステップＳ１０において、欠損コードがあると判定されると、電子回路１１のナビゲーショントラックＴＲＮｉに対応するコンテンツトラックＴＲＣｉが読み込まれ（ステップＳ１１）、欠損コードがないと判定されると、光ディスクの光データ記憶部１２からコンテンツトラックＴＲＣｉが読み込まれ（ステップＳ１２）、読み込まれたコンテンツトラックＴＲＣｉのデコーディング処理が施され（ステップＳ１３）、ユーザによる音楽、映像鑑賞が可能となる（ステップＳ１４）。ユーザによる音楽、映像鑑賞が終了すると、光ディスクがディスクドライブから取り出される。再度、鑑賞する場合には、上記ステップＳ３からの処理に移行する。
以上を補足的に説明すると、１枚のディスクは工場出荷時たとえばＳ１の店で販売されることを決めておき、それが電子回路の管理メモリの中にＳ１として記録される。このディスクをＳ１の店で販売されるとき店員さんや日付時間の１度しかないコードでＲＦＩＤを通じてＳ１０００１（店番コード＆任意コード）のデータが管理メモリの別の場所に蓄積される。このディスクを装置に挿入すると工場出荷時のＳ１とお店で販売されたときのＳ１０００１のＳ１とが比較されて同一なので次の処理に進み、映画を鑑賞できる。
ところが、同一ディスクがＳ２の店で販売されたとすると、例えばＳ２０１００（店番コード（Ｓ２）＆任意コード（店員名や日付時間））とＲＦＩＤから電子回路の管理コードに記載され、電子回路のＳ１とは同一でないので、次の処理には進めない。この目的は、工場出荷後信頼できるお店で販売したくても、横流しされ光ディスクの価格が安くたたかれている現状があり、あくまでも信頼できる店で販売することしかできないようにするため。また、ネットから販売されたディスクの管理コードをメーカー側が直接検出できる場合には、当初予定していた店舗で販売されていないことを確認できる。これによって不正販売ルートをトレースすることができるようになる。
また、世界で１枚しかないディスクについては、店のコードＳ１および店員、日付時間によるコードまで細かくコード化する（Ｓ１＆０００１）ことにより、世界で１枚しかないディスクが得られる。同一時刻に同一店員が２枚のディスクを販売できないから。もし、このディスクを光ディスク部及び電子回路部を含めて丸まるコピーした場合、お客がネットで追加のキャラクターをとろうとすると、メーカー側のサーバには、世界に１枚しかないコードのディスクから短時間の間に何回もアクセスされることになり、これはコピーされたことが判明する。その際は、このコード番号に対してアクセスできないようにサーバ側で遮断してしまう。しかし、このとき、１人だけの善意の人がお店に駆け込み、コード変更を要望してきたときには、この人から事情を聞いたうえ、新規なコードをＲＦＩＤから電子回路の管理コードに記録する。例えばＳ１０９８９（店番コード＆店員名（この際は店の管理責任者のコードになる）、日付時間）を付与して、また景品を差し上げることにする。
以上、本発明によるディスクコンテンツ管理方法及びディスクの好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図１】
2006016514.tif 000002
【図２】
2006016514.tif 000003
【図３】
2006016514.tif 000004
【図４】
2006016514.tif 000005
【国際調査報告】
2006016514.tif 000006
2006016514.tif 000007
2006016514.tif 000008
2006016514.tif 000009